(57)【要約】【課題】  狭い住環境ではブーツを入れる収納がなく、ブーツが玄関の場所を取ってしまい、邪魔になり踏まれたりしてしまう。ブーツ収納箱はそれを解消。【解決手段】  ブーツの片方の靴底をブーツ収納箱の底につくように入れ、もう片方は靴底が上を向くようにして筒側をブーツスタンドに差し込む。一足分でも一足の片方分の幅で収納することができる。収納箱の台によって、箱の角度を変えることができ、高さを出せば、省スペースで設置することができる。【選択図】図２
0003133726.tif 000002
【実用新案登録請求の範囲】
【請求項１】
ブーツの片方の靴底を箱の底に着くように入れ、もう片方は靴底が上を向くようにして筒側を箱の底から突出しているブーツスタンドに差し込む。一足分でも一足の片方分の幅で収納することができる。
【請求項２】
収納箱に角度調節台を設置することによって、ブーツの出し入れがしやすくなっている。また、この角度調節台で収納箱の高さをだせば、省スペースで収納箱を設置することができる。
【考案の詳細な説明】
【０００１】  本考案は、ブーツを収納するためのブーツ収納箱に関する。
【技術背景】
【０００２】  下駄箱にブーツ収納がない場合は、ブーツは玄関にそのまま置かれていたため、場所を取ってしまい、土埃がかぶったり、人に踏まれたりする恐れがあった。今までの靴収納では、汚れから靴を守る点ではいいのだが、靴一足で一足分の幅をとっていてスペースの解決はなされていなかった。
【考案の開示】
【考案が解決しようとする課題】
【０００３】  従来の収納では、ブーツが増えた場合、一足分の幅×ブーツの数といったスペースが必要で、アパートなどの狭い玄関の場所をとってしまい邪魔になってしまう。それにブーツを取り出す際、体をかがませなくてはいけないので取り出しにくい。
【課題を解決する手段】
【０００４】  そこで、ブーツの片方の靴底を箱の底に着くように入れ、もう片方は靴底が上を向くようにして筒側を箱の底から突出しているスタンドに差し込む。一足分でも、一足の半分の幅でブーツを収納することができる。よって玄関の場所を取らなくてすむのである。（図２、３）収納箱に台つけることにより、角度を調節できるようになっていて、取り出しやすくなっている。また、収納箱の角度を調節して高さをだすと、省スペースで収納箱を設置することができる。（図１）
【課題の効果】
【０００５】  よって、本考案のブーツ収納箱は省スペースで置けるため、玄関で邪魔になることがなくなり、ブーツを埃や、踏まれたりすることからくる汚れや傷から守ることができる。また、収納箱に角度調節台をつけて斜めに傾けているため、しゃがみこまなくても容易にブーツを出し入れできるようになっている。
【考案を実施するための最良の形態】
【０００６】  本考案のブーツ収納箱１０は図２、図３が示すように二組のブーツが収納できるようになっている。２がしっかり閉まるように１が備えられている。２は３によって角度がつけられており中が見えやすく、かつ収納がしやすいように上から下へ開くようになっている。３はスペースや使いやすさに合わせて１０の角度を調節することができる。２を開きブーツのかかとから１０の底に入れ、もう片方はかかとを持ちブーツの筒側を５に差し込めるようになっている。Ｂを固定させるために、５の先に６を設けている。ただし、５でＢの重さを支えなければならず、４のように５を固定させる補強が必要になってくる。
【図面の簡単な説明】
【００７】
【図１】本考案のブーツ収納箱の外観から見た図である。
【図２】ブーツ収納箱の横の断面図である。
【図３】ブーツ収納箱の上から見た断面図である。
【符号の説明】
１    開閉部の留め具
２    開閉部
３    ブーツ収納箱の角度調節台
４    収納箱内部のブーツスタンドを固定させる板
５    ブーツスタンド
６    クッション
１０  ブーツ収納箱
Ｂ    ブーツ
【図１】
0003133726.tif 000003
【図２】
0003133726.tif 000004
【図３】
0003133726.tif 000005
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
箱の底面に、片足分のブーツの靴底が着くように置くスペースと、もう片足分のブーツを保持するための底面から突き出した棒を有する、ブーツ収納箱。
【請求項２】
斜めに傾けたブーツ収納箱に接触する水平な棒と、その棒を挟んで支える２本の足からなる調節台。
【手続補正書】
【提出日】平成18年7月31日(2006.7.31)
【手続補正１】
【補正対象書類名】実用新案登録請求の範囲
【補正対象項目名】全文
【補正方法】変更
【補正の内容】
【実用新案登録請求の範囲】
【請求項１】
１０の底面に、片方のＢの靴底がつくように置けるスペースと、もう片方のＢを逆さにして筒側から差し込んで保持する為の底面から突き出した５からなるブーツ収納箱。（明細書の符号を参照）
【手続補正２】
【補正対象書類名】明細書
【補正対象項目名】０００６
【補正方法】変更
【補正の内容】
【０００６】
本考案の１０は図２、図３が示すように一足の片方分の幅でＢが収納できるようになっている。２がしっかり閉まるように１が備えられている。２は３によって角度がつけられており中身が見えやすく、かつ収納がしやすいように上から下へ開くようになっている。
３はスペースや使いやすさにあわせて１０の角度を調節することができる。２を開きＢのかかとから１０のそこに入れ、もう片方はかかとを持ちＢの筒側を５に差し込めるようになっている。Ｂを固定させるために、５の先に６を設けている。ただし、５でＢの重さを支えなければならず、４のように５を固定させる補強が必要になってくる。
【符号の説明】
【０００７】
１    開閉部の留め具
２    開閉部
３    ブーツ収納箱の角度調節台
４    収納箱内部のブーツスタンドを固定させる板
５    ブーツスタンド
６    クッション
１０  ブーツ収納箱
Ｂ    ブーツ
【手続補正書】
【提出日】平成18年10月16日(2006.10.16)
【手続補正１】
【補正対象書類名】実用新案登録請求の範囲
【補正対象項目名】全文
【補正方法】変更
【補正の内容】
【実用新案登録請求の範囲】
【請求項１】
一組のブーツのうち、逆さにした一方のブーツの筒側から差し込んでそのブーツを保持するために底面から突き出した棒状のスタンドと、そのスタンドを支持しかつもう一方のブーツの靴底を着けるように設置できる面積をもった底面と、を備えたブーツ収納箱。
【手続補正２】
【補正対象書類名】明細書
【補正対象項目名】０００６
【補正方法】変更
【補正の内容】
【０００６】
本考案のブーツ収納箱は、図２、図３が示すように一組のブーツの片方分の幅の箱に一組のブーツＢが収納できる。開閉部のフタ２がしっかり閉まるように留め具１が備えられている。箱１０は、角度調節台３によって角度がつけられており中身が見えやすく、かつブーツＢの出し入れがしやすいようになっている。角度調節台３は、本ブーツ収納箱の設置スペースや使用者それぞれの使い易さにあわせて箱１０の角度を調節することができる。フタ２を開き、ブーツＢの一方をかかとから箱１０のそこに入れ、もう一方は筒側からブーツスタンド５に差し込む。ブーツスタンド５の先にクッション６を設けることで、差し込んだブーツをより安定して保持できる。ブーツスタンド５がブーツＢの一方の重さを支えることができるように、補強板４にブーツスタンド５を固定させる。
【符号の説明】
【０００７】
１    開閉部の留め具
２    フタ
３    ブーツ収納箱の角度調節台
４    収納箱内部のブーツスタンドを固定させる補強板
５    ブーツスタンド
６    クッション
１０  箱
Ｂ    ブーツ